(57)【要約】【課題】          釣竿の収納や取り外しを簡便なものとしつつ、高速で移動するボートなどの上に取り付けた場合であっても安定的に搬送することが可能なロッドケースを提供することである。【解決手段】          本発明の一実施形態に係る釣竿ケースは、移動中のボート上に載置される、釣竿を収容可能な開口部を有するケース本体を備え、該ケース本体は、釣竿を保護する柔軟部材と、該ケース本体の内側の空間と外側の空間とを連通する多数の連通孔を有する連通部材とから構成される。【選択図】          図２
2019080534.tif 000002
【特許請求の範囲】
【請求項１】
移動中のボート上に載置される、釣竿を収容可能な開口部を有するケース本体を備えた釣竿ケースであって、
該ケース本体は、釣竿を保護する柔軟部材と、該ケース本体の内側の空間と外側の空間とを連通する多数の連通孔を有する連通部材とから構成されることを特徴とする釣竿ケース。
【請求項２】
前記ケース本体の前記柔軟部材は、前記釣竿の長手方向に垂直な断面でみて略Ｕ字状に形成される、請求項１に記載の釣竿ケース。
【請求項３】
前記ケース本体の前記多数の連通孔を有する連通部材は、前記釣竿の長手方向に垂直な断面でみて前記柔軟部材の両端部を覆うように形成される、請求項１又は２に記載の釣竿ケース。
【請求項４】
前記ケース本体の前記柔軟部材は、ＥＶＡ又は発泡ゴムにより形成される、請求項１から３までのいずれか１項に記載の釣竿ケース。
【請求項５】
前記ケース本体の前記柔軟部材は、前記ケース本体の長手方向に垂直な断面でみて前記ケース本体の外周の長さの７５−８５％を占める、請求項１から４までのいずれか１項に記載の釣竿ケース。
【請求項６】
前記ケース本体の前記連通部材は、前記ケース本体の長手方向に垂直な断面でみて前記ケース本体の外周の長さの１５−２５％を占める、請求項１から４までのいずれか１項に記載の釣竿ケース。
【請求項７】
前記ケース本体の前記連通部材の、前記ケース本体の長手方向に垂直な断面でみて前記ケース本体の外周の長さに占める割合は、前記釣竿の長手方向位置により異なる、請求項１から６までのいずれか１項に記載の釣竿ケース。
【請求項８】
前記ケース本体の前記連通部材の前記ケース本体の長手方向の長さは、前記ケース本体の前記柔軟部材の前記釣竿の長手方向の長さの５０−６０％である、請求項１から８までのいずれか１項に記載の釣竿ケース。
【請求項９】
前記ケース本体の前記連通部材の、前記ケース本体の長手方向に垂直な断面でみて前記ケース本体の外周の長さに占める割合は、前記釣竿の先端側に向かうにつれ小さくなる、請求項１から８までのいずれか１項に記載の釣竿ケース。
【請求項１０】
前記ケース本体の前記柔軟部材は、前記釣竿の釣糸ガイドを覆うように該釣竿の長手方向に延びている、請求項９に記載の釣竿ケース。
【発明の詳細な説明】
【技術分野】
【０００１】
本発明は、特に、高速で移動するボート上に取り付けられる、釣竿を収容可能な釣竿ケースに関するものである。
【背景技術】
【０００２】
従来より、釣竿を収納することが可能な種々のロッドケースが知られている。このようなロッドケースとして、例えば、ケース本体を備え、その内側に釣竿を収納し、内部での釣竿の移動を防止するため、釣竿を固定する紐を備えたものがある。
【０００３】
搬送中のロッドの損傷を回避することができるロッドケースとして、特許文献１には、リールを装着した状態のロッド全体を収容することにより、搬送中のロッドの損傷を回避することができるロッドケースが開示されている。
【０００４】
また、ロッドと共に釣り用小物の出し入れを行い易くすることができるロッドケースとして、特許文献２には、複数本のロッドの収納・取り出しを容易にし、かつ携行時にロッドを損傷することなく持ち運ぶことができるロッドケースが開示されている。
【先行技術文献】
【特許文献】
【０００５】
【特許文献１】特開２００２−１７１８８８号公報
【特許文献２】特開２０１７−１４００１７号公報
【発明の概要】
【発明が解決しようとする課題】
【０００６】
しかしながら、特許文献１に開示のロッドケースでは、リールを装着したままロッド全体を収納することができるものの、ロッドの収納・取り出しに時間がかかってしまうという問題があった。
【０００７】
また、特許文献２に開示のようなロッドケースを、高速で移動するボートなどの上に取り付けた場合には、ケースの開口部を通って風が流入し、その風圧のためにケースごと飛ばされてしまうという問題があることが分かっている。
【０００８】
本発明の実施形態は、上記のような問題点に鑑み、釣竿の収納や取り外しを簡便なものとしつつ、高速で移動するボートなどの上に取り付けた場合であっても安定的に搬送することが可能なロッドケースを提供することを目的とする。
【０００９】
本発明の実施形態の他の目的は、本明細書全体を参照することにより明らかとなる。
【課題を解決するための手段】
【００１０】
本発明の一実施形態に係る釣竿ケースは、移動中のボート上に載置される、釣竿を収容可能な開口部を有するケース本体を備え、該ケース本体は、釣竿を保護する柔軟部材と、該ケース本体の内側の空間と外側の空間とを連通する多数の連通孔を有する連通部材とから構成される。
【００１１】
本発明の一実施形態に係るケース本体の柔軟部材は、ケース本体の長手方向に垂直な断面でみて略Ｕ字状に形成される。
【００１２】
本発明の一実施形態に係るケース本体の多数の連通孔を有する連通部材は、ケース本体の長手方向に垂直な断面でみて柔軟部材の両端部を覆うように形成される。
【００１３】
本発明の一実施形態に係るケース本体の柔軟部材は、ＥＶＡ又は発泡ゴムにより形成される。
【００１４】
本発明の一実施形態に係るケース本体の柔軟部材は、ケース本体の長手方向に垂直な断面でみてケース本体の外周の長さの７５−８５％を占めるよう構成される。
【００１５】
本発明の一実施形態に係るケース本体の連通部材は、ケース本体の長手方向に垂直な断面でみてケース本体の外周の長さの１５−２５％を占めるよう構成される。
【００１６】
本発明の一実施形態に係るケース本体の連通部材の、ケース本体の長手方向に垂直な断面でみてケース本体の外周の長さに占める割合は、釣竿の長手方向位置により異なる。
【００１７】
本発明の一実施形態に係るケース本体の連通部材のケース本体の長手方向における長さは、ケース本体の柔軟部材の釣竿の長手方向における長さの５０−６０％である。
【００１８】
本発明の一実施形態に係るケース本体の連通部材の、ケース本体の長手方向に垂直な断面でみてケース本体の外周の長さに占める割合は、釣竿の先端側に向かうにつれ小さくなる。
【００１９】
本発明の一実施形態に係るケース本体の柔軟部材は、釣竿の釣糸ガイドを覆うように該釣竿の長手方向に延びている。
【発明の効果】
【００２０】
本発明の様々な実施形態により、釣竿の収納や取り外しを簡便なものとしつつ、高速で移動するボートなどの上に取り付けた場合であっても安定的に搬送することが可能なロッドケースを提供することが可能となる。
【図面の簡単な説明】
【００２１】
【図１】本発明の一実施形態における釣竿ケース１の使用が想定される態様を示す図である。
【図２】本発明の一実施形態による釣竿ケース１の斜視図である。
【図３】本発明の一実施形態による釣竿ケース１の上面図である。
【図４】本発明の一実施形態による釣竿ケース１の正面図である。
【図５】本発明の一実施形態による釣竿ケース１の各位置における断面図である。
【図６】本発明の他の実施形態による釣竿ケース１の斜視図である。
【図７】本発明の他の実施形態による釣竿ケース１の斜視図である。
【発明を実施するための形態】
【００２２】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない。以下、本発明の実施形態について図面に基づき説明する。
【００２３】
まず、図１を参照して、本発明の一実施形態における釣竿ケース１の使用が想定される態様について説明する。釣竿ケース１は、釣竿を収容可能な開口部を有するケース本体２を備える。
【００２４】
図示の例では、バスボート１０のデッキ１１に釣竿ケース１が載置された状態となっている。釣竿ケース１には釣竿１２の少なくとも一部が収納されている。図示の例では、釣竿１２のリール１３が釣竿ケース１の開口部５から外部へ露出した状態で釣竿１２が釣竿ケース１に収納された状態となっている。
【００２５】
図１では、このような釣竿ケース１が図１の紙面でみて左右方向両側にそれぞれ複数載置されている。図示の例では、複数の釣竿ケース１がバスボート１０のデッキ１１上に固定具１４によりまとめて固定されている。当該固定具１４は一例であって、構造、形状、素材等に特段の限定はなく、適宜必要に応じて変更しても構わない。
【００２６】
通常、バスボート１０は、目的地により早く到着するため、高速（例えば、時速７０−１００ｋｍ）で移動すると共に、目的地に到着してからデッキ１１の前方にいる釣人がすぐに釣竿を取り出すことができるよう、釣竿１２の後端がバスボート１０の前方に向くよう配置されている。図１では、バスボート１０を例に説明したが、これに限られず、高速で移動しかつ風の影響を受ける部分に釣竿ケースを載置するボート等の乗り物であってよく、特段の限定はなく、適宜選択可能である。
【００２７】
また、前述の通り、釣竿１２は、釣竿ケース１に一部が収納され、その他の部分は外部に露出しているため、釣竿１２のグリップを掴んで簡便に取り出すことができる。あるいは、取り出す際、釣竿１２がバスボート１０から外部へ突出しないようにするため、固定具１４を外し、釣竿ケース１を上方に持ち上げた上で取り出すことも可能である。このようにして、バスボート１０の高さ方向を利用して、バスボート１０から外部（横方向）へ突出させることなく、釣竿１２を釣竿ケース１から取り出すことができる。
【００２８】
次に、図２を参照して、本発明の一実施形態における釣竿ケース１について説明する。本発明の一実施形態に係る釣竿ケース１は、移動中のボート上に載置され、釣竿１２（図示しない）を収容可能な開口部５を有するケース本体２を備える。当該ケース本体は、釣竿１２（図示しない）を保護する柔軟部材３と、該ケース本体２の内側の空間と外側の空間とを連通する多数の連通孔６を有する連通部材４とから構成される。
【００２９】
本発明の一実施形態に係るケース本体２の柔軟部材３は、例えば、ＥＶＡにより形成され得る。また、本発明の一実施形態に係る柔軟部材３は、ＥＶＡ又は発泡ゴムにより形成される又は実質的に形成されてもよいが、これらに限定されるものではなく、適宜変更可能である。このようにして、ケース本体２の柔軟部材３により釣竿１２を保護することが可能となる。
【００３０】
本発明の一実施形態に係るケース本体２の連通部材４は、例えば、メッシュ素材のナイロン生地により形成され得る。また、本発明の一実施形態に係る柔軟部材３は、により形成される又は実質的に形成されてもよいが、これらに限定されるものではなく、適宜変更可能である。このようにして、バスボート１０が高速で移動する際に受ける風が、ケース本体２の開口部５を通って流入した場合であっても、ケース本体２の連通部材４から外部へ放出することができるようになっているため、風により釣竿ケース１がデッキ１１から飛ばされてしまうことを防止することができる。
【００３１】
本発明の一実施形態に係るケース本体２の柔軟部材３は、前記釣竿の長手方向に垂直な断面でみて略Ｕ字状に形成される。また、本発明の一実施形態に係るケース本体２の柔軟部材３は、ＥＶＡにより形成されることができる。このようにして、ケース本体２の柔軟部材３が、釣竿１２を的確に保護することを可能とする。
【００３２】
また、本発明の一実施形態に係るケース本体２の多数の連通孔６を有する連通部材４は、釣竿１２の長手方向に垂直な断面でみて前記柔軟部材の両端部を覆うように形成される。
【００３３】
このようにして、バスボート１０が高速で移動する際に受ける風が、ケース本体２の開口部５を通って流入した場合であっても、ケース本体２の連通部材４から外部へ放出することができるようになっているため、風により釣竿ケース１がデッキ１１から飛ばされてしまうことを防止することができる。
【００３４】
本発明の一実施形態に係るケース本体２の柔軟部材３は、ケース本体２の長手方向に垂直な断面でみて当該ケース本体２の外周の長さの７５−８５％を占めるよう構成される。詳細は後述する。
【００３５】
本発明の一実施形態に係るケース本体２の連通部材４は、ケース本体２の長手方向に垂直な断面でみて当該ケース本体２の外周の長さの１５−２５％を占めるよう構成される。同様に、詳細は後述する。
【００３６】
本発明の一実施形態に係るケース本体２の連通部材４の、ケース本体２の長手方向に垂直な断面でみてケース本体２の外周の長さに占める割合は、ケース本体２の長手方向位置により異なるよう構成される。また、連通部材は必ずしも連続的に形成されることを意図するものではなく、断続的に形成されてもよい。その場合、連通部材の長さは、複数の連通部材の長さの合計として表すことができる。このこのようにして、バスボート１０が高速で移動する際に受ける風が、ケース本体２の開口部５を通って流入した場合であっても、ケース本体２の連通部材４から外部への望ましい放出量に合わせて、適宜決定することができるため、風により釣竿ケース１がデッキ１１から飛ばされてしまうことをより確実に防止することができる。
【００３７】
本発明の一実施形態に係るケース本体２の連通部材４のケース本体２の長手方向でみた長さは、当該ケース本体２の柔軟部材３のケース本体２の長手方向でみた長さの５０−６０％であるように構成される。また、連通部材は必ずしも連続的に形成されることを意図するものではなく、断続的に形成されてもよい。その場合、連通部材の長さは、複数の連通部材の長さの合計として表すことができる。このようにして、バスボート１０が高速で移動する際に受ける風が、ケース本体２の開口部５を通って流入した場合であっても、ケース本体２の連通部材４から外部への望ましい放出量に合わせて、適宜決定することができるため、風により釣竿ケース１がデッキ１１から飛ばされてしまうことを確実に防止することができる。
【００３８】
本発明の一実施形態に係るケース本体２の連通部材４の、ケース本体２の長手方向に垂直な断面でみて当該ケース本体２の外周の長さに占める割合は、ケース本体２の開口部５とは反対方向に向かうにつれ小さくなるよう構成される。このようにして、ケース本体２の連通部材４から外部への放出量に合わせて、連通部材４の面積を調整ことができるため、風により釣竿ケース１がデッキ１１から飛ばされてしまうことをより確実に防止することができる。
【００３９】
本発明の一実施形態に係るケース本体２の柔軟部材３は、釣竿１２の釣糸ガイド（図示しない）を覆うようにケース本体２の長手方向に延びている。このようにして、このようにして、ケース本体２の柔軟部材３が、釣竿１２を釣竿１２の釣糸ガイドを含めて的確に保護することが可能となる。
【００４０】
図３は、図２の釣竿ケース１を上面からみた状態を示す。図示の例では、ケース本体２の柔軟部材３は、釣竿１２の長手方向におけるサイズや釣糸ガイドの大きさに合わせて、ケース本体の後端部分２１から先端部分２０へ向けて略テーパするように構成されている。このようにして、釣竿１２の長手方向におけるサイズや釣糸ガイドの大きさに合わせて、ケース本体２の柔軟部材３が、釣竿１２を釣竿１２の釣糸ガイドを含めて的確に保護することが可能となる。
【００４１】
図３では、ケース本体２の後端に固定部材２２が取り付けられ、当該固定部材２２は、開口部５から外部へ露出する釣竿１２のリール（図示しない）を当該開口部５とは反対側で釣竿ケース１をデッキ１１へ固定する役割を果たす。
【００４２】
次に、図４は、図２の釣竿ケース１を正面からみた状態を示す。図示の例では、ケース本体２の柔軟部材３は、釣竿１２（図示しない）の長手方向におけるサイズや釣糸ガイドの大きさに合わせて、ケース本体の後端部分２１の開口部５から先端部分２０へ向けて略テーパするように構成されている。そのため、例えば、図示の位置における連通部材４の、図４の紙面の左右方向における長さＢ１は、図示の位置における連通部材４の、図４の紙面の左右方向における長さＢ２の  ％程度となっている。当該Ｂ１やＢ２は、収納する釣竿１２ないし釣糸ガイドの大きさに合わせて適宜決定することができ、特定の長さに限定することを意図するものではない。
【００４３】
ここで、ケース本体２の長手方向長さをＷ、連通部材４の同方向の長さをＹとする。連通部材４の長さＹは、ケース本体２の長手方向長さＷの６０−６５％の範囲で適宜設定することができる。なお、連通部材４は必ずしも連続的に形成されることを意図するものではなく、断続的に形成されてもよい。その場合、連通部材４の長さは、複数の連通部材の長さの合計として表すことができる。
【００４４】
このようにして、ケース本体２の連通部材４から外部への放出量に合わせて、連通部材４の面積を適宜調整することで、風により釣竿ケース１がデッキ１１から飛ばされてしまうことをより確実に防止することができる。同図の固定部材２２については既述の通りであるため、ここでは省略する。
【００４５】
図５は、図３における各位置における釣竿ケースの断面図を示す。図５（ａ）は、ケース本体２の先端部分２０の付近におけるＡ−Ａ断面図を示している。
【００４６】
図示のように、ケース本体２の柔軟部材３が四方を取り囲むように形成され、連通部材４は形成されていない。このようにして、ケース本体２の先端部分２０における釣竿１２の保護性をより高めることができる。図５（ａ）の例では、ケース本体２は、連通部材４を形成しない構成を示したが、連通部材４をケース本体２の一部に形成するようにしてもよい。
【００４７】
図５（ｂ）は、ケース本体２の中央付近におけるＢ−Ｂ断面図を示している。図５（ｂ）の例では、ケース本体２は、Ｕ字状の柔軟部材３を形成し、当該柔軟部材３の両端部は、連通部材４で覆うように構成することができる。図示のように、当該柔軟部材３の長さをＡ１、当該連通部材４の長さをＢ１とし、ケース本体２の外周をＸ１とする。すなわち、ケース本体２の外周Ｘ１はＡ１＋Ｂ１となる。
【００４８】
この場合、ケース本体２の中央付近における、ケース本体２の外周Ｘ１に占める柔軟部材３の長さＡ１は、７０−８０％とすることができる。また、ケース本体２の中央付近における、ケース本体２の外周Ｘ１に占める連通部材４の長さＢ１は、２０−３０％とすることができる。また、これらの割合は、ケース本体２の中央付近におけるケース本体２の長手方向位置により異なるものとすることができる。
【００４９】
このようにして、釣竿１２の保護性能を確保すると共に、バスボート１０が高速で移動する際に受ける風が、ケース本体２の開口部５を通って流入した場合であっても、ケース本体２の連通部材４から外部へ放出されるため、風により釣竿ケース１がデッキ１１から飛ばされてしまうことを確実に防止することができる。
【００５０】
図５（ｃ）は、ケース本体２の後部部分２１におけるＣ−Ｃ断面図を示している。図５（ｃ）の例では、図５（ｂ）の場合と同様、ケース本体２は、Ｕ字状の柔軟部材３を形成し、当該柔軟部材３の両端部は、連通部材４で覆うように構成することができる。図示のように、当該柔軟部材３の長さをＡ２、当該連通部材４の長さをＢ２とし、ケース本体２の外周をＸ２とする。すなわち、ケース本体２の外周Ｘ２はＡ２＋Ｂ２となる。
【００５１】
この場合、ケース本体２の中央付近における、ケース本体２の外周Ｘ２に占める柔軟部材３の長さＡ２は、７５−８５％とすることができる。また、ケース本体２の中央付近における、ケース本体２の外周Ｘ２に占める連通部材４の長さＢ２は、１５−２５％とすることができる。また、これらの割合は、ケース本体２の中央付近におけるケース本体２の長手方向位置により異なるものとすることができる。
【００５２】
このようにして、釣竿１２の保護性能を確保すると共に、バスボート１０が高速で移動する際に受ける風が、ケース本体２の開口部５を通って流入した場合であっても、ケース本体２の連通部材４から外部へ放出されるため、風により釣竿ケース１がデッキ１１から飛ばされてしまうことを確実に防止することができる。
【００５３】
本発明の実施形態は、上述した実施形態に限定されるものではなく、その要旨を逸脱しない範囲で様々な変更が可能である。例えば、本体ケース２における柔軟部材３ないし連通部材４が形成される領域は、上述した実施形態に限定されるものではなく、連続的か断続的か等を問わず、適宜種々変更可能であることはいうまでもない。
【００５４】
図６、７に、本発明の他の実施形態における釣竿ケース１の斜視図を示す。図６における釣竿ケース１のケース本体２は、連通部材４が断続的に２箇所形成されており、元ガイドが接触する領域付近に保護性が高い柔軟部材３を設けることで、風抜けと保護性をより両立するように構成するようにしてもよい。また、複数の釣糸ガイドの位置に合わせて柔軟部材３を複数形成するようにしてもよい。その場合、連通部材４と柔軟部材が交互に形成されることとなる。
【００５５】
図７における釣竿ケース１は、連通部材４が本体ケース２に螺旋状に形成されている。このように、風抜けと保護性の双方を考慮して、螺旋状の連通部材４の面積の合計が所定の値となるよう螺旋の寸法や形状を適宜選択・決定することができる。
【００５６】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００５７】
１  釣竿ケース
２  ケース本体
３  柔軟部材
４  連通部材
５  開口部
１０  バスボート
１１  デッキ
１２  釣竿
１３  リール
１４  固定具
２０  先端部分
２１  後端部分
２２  固定具
【図１】
2019080534.tif 000003
【図２】
2019080534.tif 000004
【図３】
2019080534.tif 000005
【図４】
2019080534.tif 000006
【図５】
2019080534.tif 000007
【図６】
2019080534.tif 000008
【図７】
2019080534.tif 000009